(57)【要約】【課題】  チェーンブロックのチェーン同士が擦れたり絡まったりしないようにチェーンブロック下部に取り付けるチェーンガイド装置を提供することにある。【解決手段】  チェーンブロック本体１下部の前後の取付支軸７に、三角形状に拡大する二対の支持部材８を取り付け、この二対の各支持部材８の両下端の頂点位置に外側ローラー１０を架渡して取り付け、この片方の外側ローラー１０より内側位置に内部ローラー１３と収納袋１４を架渡して取り付け、ハンドチェーン４を上記外側ローラー１０で支えてガイドするとともに、ロードチェーン３を上記内部ローラー１３でガイドし上記収納袋１４に出し入れするように形成したことを特徴とする。【選択図】  図１
2015067382.tif 000002
【特許請求の範囲】
【請求項１】
チェーンブロック本体下部の前後の取付支軸に、三角形状に拡大する二対の支持部材を取り付け、この二対の各支持部材の両下端の頂点位置に外側ローラーを架渡して取り付け、この片方の外側ローラーより内側位置に内部ローラーと収納袋を架渡して取り付け、ハンドチェーンを上記外側ローラーで支えてガイドするとともに、ロードチェーンを上記内部ローラーでガイドし上記収納袋に出し入れするように形成したことを特徴とするチェーンブロックのチェーンガイド装置。
【請求項２】
上記三角形状に拡大する二対の支持部材を、アームと張り材で組枠体に形成したことを特徴とする請求項１記載のチェーンブロックのチェーンガイド装置。
【請求項３】
上記三角形状に拡大する二対の支持部材を、所定の頂点角度と斜辺長さを有する平板材で形成したことを特徴とする請求項１記載のチェーンブロックのチェーンガイド装置。
【発明の詳細な説明】
【技術分野】
【０００１】
この発明は、工場や現場等で資材や製造品などを吊り上げるときに使用するチェーンブロックにおいて、チェーン同士が絡まるのを防止することを目的としたチェーンブロックのチェーンガイド装置に関するものである。
【背景技術】
【０００２】
図５の正面図および側面図に、従来例のチェーンブロックを示す。
手動で懸垂式のチェーンブロックは、チェーンブロック本体１の上部に固定フック２を設け、ロードチェーン３、吊りフック５、ハンドチェーン４を有している。
【０００３】
特許文献１の特開平１０−２０４８０８号公報「マクラギの吊り上げ装置」の発明には、架台の中央部にタワーを立設し、該タワーにチェーンブロックを取り付けて固定し、該チェーンブロックのチェーンの先端に滑車を吊下げ支持し、該滑車に所定長のワイヤを挿通してその両端側を架台に沿ってマクラギの両端側へ案内して垂らし、ワイヤの両端側にそれぞれマクラギの各端面の下面に係合するフック部材を取り付け、マクラギの吊り上げ中の脱落を防止し、且つマクラギの自動調心機能を有するマクラギの吊り上げ装置の構成が開示されている。
【０００４】
特許文献２の実開平５−２４６８２号公報「吊下げ具」の考案には、クレーンのフックなどに吊下げ支持される被吊下げ具が本体に形成され、本体に滑車が回転自在に保持され、滑車にはチェーンが巻回され、滑車にはチェーンにおけるチェーンリンクを嵌入係止させる係止凹溝が設けられ、本体に対して滑車が回転するのをロックするロック手段が解除操作自在に設けられ、重量バランスが崩れている物品を安定搬送させる吊下げ具の構成が開示されている。
【０００５】
特許文献３の特開平６−１４４７７４号公報「ＰＣ板の吊り上げ装置」の発明には、天秤材の両端に固定ローラと、天秤材の下辺部には、可動ローラと、支持ロープの各垂れ下り部には転動可能な吊り滑車と、これに吊りロープを備え、ＰＣ板を建起したり吊り移動する場合に、そのＰＣ板が変形して、クラックが発生することを防止する構成が開示されている。
【先行技術文献】
【特許文献】
【０００６】
【特許文献１】特開平１０−２０４８０８号公報
【特許文献２】実開平５−２４６８２号公報
【特許文献３】特開平６−１４４７７４号公報
【発明の概要】
【発明が解決しようとする課題】
【０００７】
図５に示すように、従来一般的な懸垂式で手動のチェーンブロックは、ロードチェーン３及びハンドチェーン４の複数のチェーンが密集して垂下がっているため、擦れたり絡まったりし易く、工場や現場等で物品を吊上げる作業の支障となることがあった。
複数のチェーン同士が絡まった場合には、絡まりを解けば作業再開できるが、工場や現場等で頻繁に使用する道具であるため、吊上げ作業がし易く作業中断が生じないようにするために、絡まりや擦れを防止するチェーンブロックのチェーンガイド装置が望まれている。
【０００８】
特許文献１の「マクラギの吊り上げ装置」の発明は、架台中央部のタワーにチェーンブロックを取り付けて固定し、滑車とワイヤとフック部材とで、マクラギの吊り上げ中の脱落を防止し、且つマクラギの自動調心機能を有する構成が開示されているが、マクラギの吊り上げを目的とした装置であり、チェーンブロックのハンドチェーン同士が絡まないことを目的としたものでもない。
【０００９】
特許文献２の「吊下げ具」の考案は、クレーンのフックなどに吊下げ支持される被吊下げ具が本体に形成され、本体に滑車とチェーンと係止凹溝とロック手段とを設け、重量バランスが崩れている物品を安定搬送させる構成が開示されているが、滑車が１箇所だけに設けられた構造であり、滑車を左右両端に設置することにより、チェーンブロックのハンドチェーン同士が絡まないようにした構造ではない。
【００１０】
特許文献３の「ＰＣ板の吊り上げ装置」の発明は、天秤材の両端に固定ローラと、可動ローラと、支持ロープ、吊り滑車、吊りロープを備え、ＰＣ板の変形やクラックを防止する構成が開示されているが、ＰＣ板の吊り移動に使用する装置であり、複数のローラを使用しているため、非常に複雑な構造である。
【００１１】
この発明は、上述のような従来技術が有する問題点に鑑みてなされたもので、その目的とするところは、チェーンブロックのチェーン同士が擦れたり絡まったりしないようにチェーンブロック下部に取り付けるチェーンガイド装置を提供することにある。
【課題を解決するための手段】
【００１２】
請求項１の発明に係るチェーンブロックのチェーンガイド装置は、チェーンブロック本体下部の前後の取付支軸に、三角形状に拡大する二対の支持部材を取り付け、この二対の各支持部材の両下端の頂点位置に外側ローラーを架渡して取り付け、この片方の外側ローラーより内側位置に内部ローラーと収納袋を架渡して取り付け、ハンドチェーンを上記外側ローラーで支えてガイドするとともに、ロードチェーンを上記内部ローラーでガイドし上記収納袋に出し入れするように形成したことを特徴とする。
【００１３】
請求項２の発明に係るチェーンブロックのチェーンガイド装置は、上記請求項１の三角形状に拡大する二対の支持部材を、アームと張り材で組枠体に形成したことを特徴とする。
【００１４】
請求項３の発明に係るチェーンブロックのチェーンガイド装置は、上記請求項１の三角形状に拡大する二対の支持部材を、所定の頂点角度と斜辺長さを有する平板材で形成したことを特徴とする。
【発明の効果】
【００１５】
請求項１の発明に係るチェーンブロックのチェーンガイド装置は、チェーンブロック本体下部の前後の取付支軸に、三角形状に拡大する二対の支持部材を取り付け、この二対の各支持部材の両下端の頂点位置に外側ローラーを架渡して取り付け、この片方の外側ローラーより内側位置に内部ローラーと収納袋を架渡して取り付け、ハンドチェーンを上記外側ローラーで支えてガイドするとともに、ロードチェーンを上記内部ローラーでガイドし上記収納袋に出し入れするように形成したので、
垂直に垂れ下がるハンドチェーンを外側ローラーによって位置を外側に離してガイドするとともに、ロードチェーンを内部ローラーでガイドし収納袋に出し入れすることによってハンドチェーンとロードチェーンが擦れたり絡まったりすることを防止することができ、チェーンブロックを使用する吊り上げ下げの作業性が向上する。
【００１６】
請求項２の発明に係るチェーンブロックのチェーンガイド装置は、上記請求項１の三角形状に拡大する二対の支持部材を、アームと張り材で組枠体に形成したので、使用しない時には嵩張らないように折り畳んでおき、使用する時に拡げることができる。
【００１７】
請求項３の発明に係るチェーンブロックのチェーンガイド装置は、上記請求項１の三角形状に拡大する二対の支持部材を、拡がり度合いの異なる所定の頂点角度と斜辺長さを有する平板材で形成しかつ着脱自在構造にしたので、必要な拡がり度合いを有する平板材よりなる支持部材を選択し、必要時に適宜取り付けて使用することができる。
【図面の簡単な説明】
【００１８】
【図１】本発明に係るチェーンブロックのチェーンガイド装置の第一事例を示す斜視説明図である。
【図２】図１のチェーンガイド装置を説明する正面図である。
【図３】本発明に係るチェーンブロックのチェーンガイド装置の第二事例を示す正面説明図である。
【図４】図３のチェーンガイド装置の支持部材を示す斜視説明図である。
【図５】従来例のチェーンブロックの正面図及び側面図である。
【発明を実施するための形態】
【００１９】
本発明に係るチェーンブロックのチェーンガイド装置の実施形態例について図１から図４に基づいて説明する。本発明は下記の実施形態にのみ限定されるものではない。本発明の要旨を逸脱しない範囲で下記の実施形態に変更（例えば構成要素の省略または付加、構成要素の形状の変更等）を加えることが出来るのはもちろんである。なお、図は概略を示すもので、一部のみを描き詳細構造は省略した。
【００２０】
図１は、本発明に係るチェーンブロックのチェーンガイド装置６の第一実施形態例を示す斜視説明図である。
懸垂式で手動のチェーンブロックは、チェーンブロック本体１の上部に固定フック２を設け、ロードチェーン３、ハンドチェーン４を有する。
ロードチェーン３の下端縁には吊りフック５を有し、チェーンブロック本体１内部の歯車に架設したロードチェーン３の先方は弛み状態から反転し固定されている。
チェーンガイド装置６は、チェーンブロック本体１下部の前後の取付支軸７に、三角形状に拡大する二対の支持部材８を取り付け、この二対の支持部材８の両下端の頂点位置に外側ローラー１０、１０を回転自在に架渡して取り付け、この片方の外側ローラー１０より内側位置に内部ローラー１３を回転自在に架渡して取り付け、さらにこの支軸部に収納袋１４を架渡して取り付ける。
支持部材８の外側ローラー１０、１０でハンドチェーン４、４を支えて円滑にガイドし、内部ローラー１３でロードチェーン３を円滑にガイドして収納袋１４に出し入れするように形成する。
【００２１】
吊り上げ下げの作業時に操作する鉛直に垂れ下がるハンドチェーン４は、外側ローラー１０によって外側位置に離して円滑にガイドされる。
また、吊りフック５の上下動に伴うロードチェーン３の繰り出しと繰り寄せは、内部ローラー１３によって円滑にガイドされ、収納袋１４に出し入れされる。
このように、ハンドチェーン４とロードチェーン３は外側ローラー１０と内部ローラー１３と収納袋１４によって擦れたり絡まったりすることが防止されるため、チェーンブロックを使用する吊り上げ下げの作業性が向上し、作業者も吊り位置から外側に離れるため安全が確保される。
【００２２】
図２は、図１のチェーンガイド装置６の構造を示す。
三角形状に拡大する支持部材８は、アーム８Ａ、８Ａと張り材９で略三角形状の組枠体に形成し、頂点となるアーム８Ａ、８Ａの上端部の取付孔８ａを、チェーンブロック本体１の取付支軸７に回動自在に取り付ける。
この三角形状の組枠体の頂点角度は６０度から１２０度の範囲で、両斜辺に位置する組枠体のアーム８Ａ、８Ａの長さは２０センチメートルから４０センチメートル程度の寸法から、吊り作業がし易いものを選定製作する。
支持部材８の両アーム８Ａ、８Ａの下端の取付孔８ｂに外側ローラー１０、１０を回転自在に架渡して取り付ける。
張り材９の両端部はアーム８Ａ、８Ａの略中間位置の取付軸９ａ、９ａに固定し、この張り材９の中央部は折畳み構造に回動軸９ｂに接続し、係止部９ｃで水平状態に止り固定するように形成する。
また、片方の外側ローラー１０より内側位置の張り材９の取付軸９ａに、内部ローラー１３と収納袋１４をそれぞれ架渡して取り付ける。１４ａは吊り材、１４ｂは袋口である。
このチェーンガイド装置６は、使用しない時には組枠体のアーム８Ａ、８Ａを嵩張らないように張り材９の中央部の回動軸９ｂを上方に押上げて折り畳んでおき、使用する時には、張り材９の中央部の回動軸９ｂを下方に押下げ伸ばして、アーム８Ａ、８Ａを拡げて、張り材９の係止部９ｃを水平状態に止めて固定する。
【００２３】
図３は、本発明に係るチェーンブロックのチェーンガイド装置６の第二の実施形態例である。
チェーンガイド装置６は、三角形状に拡大する二対の支持部材１１で形成し、この支持部材１１を、チェーンブロック本体１の前後下端の取付支軸７に着脱自在に取り付けて形成する。
この二対の各支持部材１１の両下端の頂点位置に外側ローラー１０、１０を回転自在に架渡して取り付け、この片方の外側ローラー１０より内側位置に内部ローラー１３を回転自在に架渡して取り付け、さらにこの支軸部に収納袋１４を架渡して取り付ける。
支持部材１１の外側ローラー１０、１０でハンドチェーン４、４を支えてガイドするとともに、内部ローラー１３でロードチェーン３をガイドし、収納袋１４に出し入れするように形成する。
外側ローラー１０によって鉛直に垂れ下がるハンドチェーン４の位置を外側へ離して円滑にガイドするとともに、内部ローラー１３でロードチェーン３を円滑にガイドして収納袋１４に出し入れすることによって、ハンドチェーン４とロードチェーン３が擦れたり絡まったりすることを防止することができる。
【００２４】
図４は、図３のチェーンガイド装置６の支持部材１１である。
支持部材１１は、所定の頂点角度と斜辺長さを有する略三角形状の二枚の平板材１２、１２で形成する。
この平板材１２は、異なる頂点角度と斜辺長さを有する略三角形状、例えば頂点角度は６０度、９０度、１２０度で、斜辺の長さは２０センチメートルから４０センチメートル程度の使用し易い適当なものを幾つか製作しておいて、必要時に適宜取り付けて使用するようにしても良い。
平板材１２には、チェーンブロック本体へ取り付ける取付孔１２ａ、外側ローラー１０、１０を回転自在に取り付ける取付孔１２ｂ、１２ｂを設けて形成する。
また、片方の外側ローラー１０より内側位置の取付軸１２ｃに、内部ローラー１３と収納袋１４を架渡して取り付ける。１４ａは吊り材、１４ｂは袋口である。
このチェーンガイド装置６は、取付孔１２ａ、１２ａを介してチェーンブロック本体へ着脱自在に取り付けて使用することができる。
【産業上の利用可能性】
【００２５】
上記チェーンブロックのチェーンガイド装置は、チェーンの擦れや絡まり防止対策が求められる種々構造のチェーンブロックや機器に適用することができる。
【符号の説明】
【００２６】
１  チェーンブロック本体    
２  固定フック    
３  ロードチェーン    
４  ハンドチェーン    
５  吊りフック    
６  チェーンガイド装置    
７  取付支軸    
８  支持部材    
８Ａ、８Ａ  アーム    
９  組枠体    
１０  外側ローラー    
１１  支持部材    
１２  平板材    
１３  内部ローラー    
１４  収納袋    
【図１】
2015067382.tif 000003
【図２】
2015067382.tif 000004
【図３】
2015067382.tif 000005
【図４】
2015067382.tif 000006
【図５】
2015067382.tif 000007